(57)【要約】【課題】木材を経由して地山等を削孔した後に、木材のささくれによる削孔ビットの引っかかりを防止してドリルを容易に引き抜くことができる手段を提供すること。【解決手段】削孔ビットに、ビット先端よりも後方の箇所に切削刃を設けておき、前記切削刃でもって、前記削孔ビットの進行によって生じる木材の破断面に生じるささくれを、削孔ビットによる地山等の切削時または削孔ビットの引き抜き時に切削する。【選択図】図２
2018119315.tif 000002
【特許請求の範囲】
【請求項１】
トンネルの矢板工法において、木製矢板を経由して地山を削孔する際に用いるドリルの先端に設けた削孔ビットへと取り付け可能なアタッチメントであって、
削孔ビットの先端よりも後方の箇所に位置して、前記削孔ビットの進行によって生じる木製矢板の破断面を切削する、切削刃、を少なくとも有し、
前記切削刃による切削方向が、前記削孔ビットの削孔方向と反対であることを特徴とする、
削孔ビット用アタッチメント。
【請求項２】
トンネルの矢板工法において、木製矢板を経由して地山を削孔する際に用いるドリルの先端に設けた削孔ビットへと取り付け可能なアタッチメントであって、
削孔ビットの先端よりも後方の箇所に位置して、前記削孔ビットの進行によって生じる木製矢板の破断面を切削する、切削刃、を少なくとも有し、
前記切削刃による切削方向が、前記削孔ビットの削孔方向と同一であることを特徴とする、削孔ビット用アタッチメント。
【請求項３】
トンネルの矢板工法における地山の削孔方法であって、
請求項１に記載の削孔ビット用アタッチメントを取り付けた削孔ビットを有するドリルで、地山の削孔を行い、
前記ドリルを、回転させながら引き抜き作業を行う際に、前記切削刃でもって木製矢板の破断面を切削することを特徴とする、
トンネルの矢板工法における地山の削孔方法。
【請求項４】
トンネルの矢板工法における地山の削孔方法であって、
請求項２に記載の削孔ビット用アタッチメントを取り付けた削孔ビットを有するドリルによる地山の削孔と並行して、前記削孔ビットの後方に位置した前記切削刃でもって木製矢板の破断面を切削していくことを特徴とする、
トンネルの矢板工法における地山の削孔方法。
【請求項５】
木材を経由してコンクリートまたは地山を削孔する際に用いるドリルであって、
ドリルの先端に設ける削孔ビットと、
前記削孔ビットの先端よりも後方の箇所に位置して、前記削孔ビットの進行によって生じる木材の破断面を、ドリルの進行時及び引き抜き時のうち少なくとも何れか一方の時に切削する、切削刃、を少なくとも有することを特徴とする、
削孔用ドリル。
【発明の詳細な説明】
【技術分野】
【０００１】
本発明は、トンネルの矢板工法において地山の削孔後にドリルの引き抜きを容易とするための削孔ビット用アタッチメントおよび地山の削孔方法、ならびにおよび削孔用ドリルに関する。
【背景技術】
【０００２】
トンネルの矢板工法（在来工法ともいう。）は、地山の掘削と支保工の構築にあわせて天端及び側壁に矢板を建て込んでからセントルでもって覆工コンクリートを打設してトンネルを構築していく工法である。本工法では、覆工コンクリートの構築後、岩盤補強等の目的から、トンネル内部から地山側へと削孔を行う場合がある。
この削孔には、以下の非特許文献１のような削岩機用ビットを先端に設けたドリルを用いることが一般的である。
【先行技術文献】
【非特許文献】
【０００３】
【非特許文献１】http://kansaikogu.com/category/cate11/
【発明の概要】
【発明が解決しようとする課題】
【０００４】
しかし、前記したとおり、岩盤削孔用の削孔ビットは、地山に到達する前に矢板を経由する必要がある。この際、矢板が木製の場合、当該矢板を破砕しながら進行するため、木製矢板の破断面がささくれとなって削孔穴の周囲に露出し、ドリルの引き抜き時に、削孔ビットがささくれに引っかかって抜けにくくなる問題が生じていた。
【０００５】
そこで、本発明は、木材を経由してコンクリートまたは地山を削孔した後に、ドリルを容易に引き抜くことができる手段の提供を目的とするものである。
【課題を解決するための手段】
【０００６】
上記課題を解決すべくなされた本願の第１発明は、トンネルの矢板工法において、木製矢板を経由して地山を削孔する際に用いるドリルの先端に設けた削孔ビットへと取り付け可能なアタッチメントであって、削孔ビットの先端よりも後方の箇所に位置して、前記削孔ビットの進行によって生じる木製矢板の破断面を切削する、切削刃、を少なくとも有し、前記切削刃による切削方向が、前記削孔ビットの削孔方向と反対であることを特徴とする。
また、本願の第２発明は、トンネルの矢板工法において、木製矢板を経由して地山を削孔する際に用いるドリルの先端に設けた削孔ビットへと取り付け可能なアタッチメントであって、削孔ビットの先端よりも後方の箇所に位置して、前記削孔ビットの進行によって生じる木製矢板の破断面を切削する、切削刃、を少なくとも有し、前記切削刃による切削方向が、前記削孔ビットの削孔方向と同一であることを特徴とする。
また、本願の第３発明は、トンネルの矢板工法における地山の削孔方法であって、前記第１発明に記載の削孔ビット用アタッチメントを取り付けた削孔ビットを有するドリルで、地山の削孔を行い、前記ドリルを、回転させながら引き抜き作業を行う際に、前記切削刃でもって木製矢板の破断面を切削することを特徴とする。
また、本願の第４発明は、トンネルの矢板工法における地山の削孔方法であって、前記第２発明に記載の削孔ビット用アタッチメントを取り付けた削孔ビットを有するドリルによる地山の削孔と並行して、前記削孔ビットの後方に位置した前記切削刃でもって木製矢板の破断面を切削していくことを特徴とする。
また、本願の第５発明は、木材を経由してコンクリートまたは地山を削孔する際に用いるドリルであって、ドリルの先端に設ける削孔ビットと、前記削孔ビットの先端よりも後方の箇所に位置して、前記削孔ビットの進行によって生じる木材の破断面を、ドリルの進行時及び引き抜き時のうち少なくとも何れか一方の時に切削する、切削刃、を少なくとも有することを特徴とする。
【発明の効果】
【０００７】
本願発明によれば、以下に記載する効果を奏する。
（１）掘削ビットよりも後方に設けた切削刃によって、ドリルの進行時及び引き抜き時のうち少なくとも何れか一方の時点で木材の破断面を切削することにより、ドリルの引き抜きが容易となる。
（２）木材の破断面を切削可能な切削刃を、掘削ビットに後付けできるアタッチメントとすることで、既存の掘削ビットを活用することができる。
【図面の簡単な説明】
【０００８】
【図１】実施例１に係る削孔ビット用アタッチメントを示す概略図。
【図２】図１に係る削孔ビット用アタッチメントの使用例を示す概略図。
【図３】実施例２に係る削孔ビット用アタッチメントを示す概略図。
【発明を実施するための形態】
【０００９】
以下、図面を参照しながら、本発明の実施形態について説明する。
【実施例１】
【００１０】
＜１＞全体構成
本発明に係る削孔ビット用アタッチメント（以下単に「アタッチメント１０」ともいう。）は、地山の削孔に使用する削孔ドリルの先端に設けた削孔ビット２０に取付可能な部材である。
図１（ａ）は、削孔ドリルの分解状態を示した図であり、図１（ｂ）は削孔ドリルの組み立て状態を示した図である。
以下、削孔ドリルを構成する各部材の詳細について説明する。
【００１１】
＜２＞削孔ビット
削孔ビット２０は、地山やコンクリートを削孔するための部材である。
削孔ビット２０の先端には複数のビット２１を設けてあり、後端には該削孔ビット２０に回転力を与えるロッド３０との取付機構を設けている。
削孔ビット２０には、削岩用ビットなど、地山やコンクリートの削孔に適した公知の削孔ビットを用いることができる。
【００１２】
＜３＞アタッチメント
アタッチメント１０は、前記削孔ビット２０に装着することで、前記削孔ビット２０におけるビット２１の先端よりも後方の位置に、新たに切削機構を設けるための部材である。
前記切削機構による切削径は、前記削孔ビット２０の削孔径とほぼ同径とする。
本実施例では、アタッチメント１０を、前後を貫通してある筒状の部材で構成し、その内径が前記削孔ビット２０の外径とほぼ同長とすることで、削孔ビットの外側にアタッチメントを嵌め込み可能な態様としている。
アタッチメント１０と削孔ビット２０との固定には、溶接などの公知の方法を採用すればよい。本実施例では、アタッチメント１０の前端周縁と削孔ビット２０とを溶接することによって両者を一体化している。
そして、アタッチメント１０の後端周縁には、木材の切削に適した切削刃１１を設けている。
この切削刃１１による切削方向は、前記削孔ビット２０の削孔方向と反対方向に設定している。
アタッチメント１０には、公知のコアドリルビットなどを流用することができる。
【００１３】
＜４＞使用例
次に、図２を参照しながら、本発明に係るアタッチメントを用いた削孔ドリルを、矢板工法で構築したトンネル周囲の地山を削孔する際に使用する一例について説明する。
【００１４】
＜４．１＞地山の削孔作業
図２（ａ）に示すように、矢板工法で構築したトンネルは、トンネル内周側から外周側に向かって、覆工コンクリートＡ、木製矢板Ｂ、地山Ｃの順に並んでいる。
本発明に係るアタッチメント１０を用いた削孔ドリルを用いて各層を削孔していく際、木製矢板Ｂについては、削孔ビット２０が矢板部分を破砕しながら進行するため、木製矢板Ｂの破断面がささくれＢ１となって削孔穴の周囲に露出する点は、従前と変わらない。
【００１５】
＜４．２＞削孔ビットの引き抜き作業
地山Ｃの削孔が完了した後は、削孔ビット２０を削孔穴から引き出す作業を行うが、このとき、ドリルの回転を維持したまま引き出し作業を行うと、アタッチメント１０の後端に設けた切削刃１１が、木製矢板ＢのささくれＢ１を切削していくため、削孔ビット２０がささくれＢ１に引っかかることが無くなり、削孔ビット２０を容易に削孔穴から引き抜くことができる。
【実施例２】
【００１６】
次に、図３を示しながら、本発明の第２実施例について説明する。
本実施例に係るアタッチメントは、切削刃１１を削孔ビット２０のビット２１の先端よりも後方の位置に設ける点は実施例１と同様であるが、その切削方向を、削孔ビット２０の削孔方向と同一とした構成を呈している。
すなわち、本構成では、削孔ビット２０を有するドリルによる地山の削孔と並行して、前記切削刃１１でもって木製矢板Ｂの破断面に生じるささくれＢ１を切削していくものである。
よって、本実施例でも実施例１と同様の効果を得ることができる。
本実施例に係る切削刃１１を設けたアタッチメント１０は、公知部材を適宜加工するなどして形成すればよい。
【実施例３】
【００１７】
前記実施例１，２では、木製矢板Ｂの破断面に生じるささくれＢ１を切削する切削刃１１を、削孔ビット２０に取り付け可能なアタッチメント１０に設けるものであるが、本発明では、アタッチメント１１を介さずに、削孔ビット２０に予め前記切削刃１１を設けるようにした構造を採用してもよい（図示せず）。
【実施例４】
【００１８】
前記実施例１〜３では、木製矢板Ｂなどの木材の破断面に生じるささくれＢ１の切削を目的とするものであったが、本発明はさらに、異質の複数の削孔層からなる削孔対象を削孔する際に、主たる削孔層に適したビットを設けた削孔ビット２０と、前記削孔ビット２０によって当該削孔ビット２０の引き抜きに障害が生じうるその余の削孔層の削孔に適した切削刃１１を設ける構成としてもよい（図示せず）。
【符号の説明】
【００１９】
１０  アタッチメント
１１  切削刃
２０  削孔ビット
２１  ビット
３０  ロッド
Ａ    覆工コンクリート
Ｂ    木製矢板
Ｂ１  ささくれ
Ｃ    地山
【図１】
2018119315.tif 000003
【図２】
2018119315.tif 000004
【図３】
2018119315.tif 000005